(57)【要約】      （修正有）【課題】個別には、キャリーケースとして荷物の運搬に供することができるとともに、複数のキャリーケースをそのまま連結したり、積み重ねたりして、ロッカーとして利用できるキャリーケースを提供する。【解決手段】箱形直方体のケース本体１を有するキャリーケースの下面側縁部にキャスターを設け、上端部には伸縮自在な引き手５を設ける。ケース本体１の上面には、嵌め込み凸部７とキャスター収納部８、下面には嵌め込み凹部を設け、当該キャリーケースの上に他のキャリーケースを積み重ねた際に、前者の嵌め込み凸部７と後者の嵌め込み凹部とが嵌合して、安定的に積み重ねられるようにする。また、ケース本体１の外側面に、当該キャリーケースと並置された他のキャリーケースと連結するための連結フック受け部９を設けて、並置した各キャリーケースの位置がずれないようにする。【選択図】図１
0003163329.tif 000002
【実用新案登録請求の範囲】
【請求項１】
側方に開口部を有する箱形直方体のケース本体と、前記開口部を覆うように設けられた開閉自在な蓋部と、前記ケース本体の下面側縁部に設けられたキャスターと、前記ケース本体の上端部に設けられた引き手と、前記ケース本体の上面に設けられた嵌め込み凸部と、前記ケース本体の上面に設けられ、当該キャリーケースの上に積み重ねられた他のキャリーケースのキャスターを収納可能なキャスター収納部と、前記ケース本体の下面に設けられ、当該キャリーケースを他のキャリーケースの上に積み重ねた際に、他のキャリーケースの前記嵌め込み凸部と嵌合可能な嵌め込み凹部とを備えたことを特徴とするキャリーケース。
【請求項２】
請求項１に記載のキャリーケースにおいて、前記引き手が伸縮自在で、不使用時には前記ケース本体周囲の壁内に収納可能であることを特徴とするキャリーケース。
【請求項３】
請求項１又は２に記載のキャリーケースにおいて、前記ケース本体外側面に、当該キャリーケースと並置された他のキャリーケースと連結するための連結具を設けたことを特徴とするキャリーケース。
【請求項４】
請求項１，２又は３に記載のキャリーケースの複数個を、前記開口部を同じ方向に向けた状態で、上下左右に並べて配置したことを特徴とするロッカー。
【考案の詳細な説明】
【技術分野】
【０００１】
本考案は、個々のボックスをキャリーケースとして持ち運びができ、それらを複数個組み合わせればロッカーとして利用できる、キャリーケース、及び、それらを組み合わせて構成したロッカーに関するものである。
【背景技術】
【０００２】
例えば、建築・建設現場の宿泊施設やクラブ・サークルの合宿のように、複数の人が所定の場所に来てある程度の期間生活する場合、各自、生活に必要な荷物をバッグ等に入れて生活場所に持ち込む。そして、それらの荷物をバッグ等に入れたまま保管し、必要な物は随時バッグ等から取り出して使用するようにしたり、生活場所にロッカー等が用意されている場合は、持ち込んだ荷物をロッカー等に入れ替えて保管し、必要な物はロッカー等から取り出して使用するようにしていた。
【０００３】
しかしながら、荷物をバッグ等に入れたまま保管するのでは、多数のバッグ等が乱雑に置かれることになり、荷物の管理も容易ではない。また、ロッカー等に入れ替えて保管するのでは、ロッカーを用意しておく必要がある上、バッグからロッカーへの荷物の入れ替えが面倒であり、また、荷物をロッカーに入れ替えた後は、持ってきたバッグが不用になって、それらの保管スペースも必要になる。
【０００４】
一方、特許文献１には、蓋付の箱形ケースの中に、物を分別して収納できるように複数の引き出しを設け、かつ、下面後端部に走行車、上面前側にノブを設けた旅行用衣類ケースが提案されている。このような旅行用衣類ケースを用いれば、それを荷物の保管にも使えるためロッカーは必要なくなり、荷物の入れ替えを行う必要もなくなり、バッグの保管スペースも必要なくなる。
【先行技術文献】
【特許文献】
【０００５】
【特許文献１】実開昭６３−１４２１３３号公報
【考案の概要】
【考案が解決しようとする課題】
【０００６】
しかしながら、上記旅行用衣類ケースには、他の衣類ケースと連結したり、積み重ねたりできる手段を備えていないため、複数の人が一カ所に集まって来て生活する場合には、それぞれの衣類ケースをバラバラに置くことになって、居住空間の効率的な利用ができなくなるという問題点があった。
【０００７】
本考案は、そのような問題点に鑑み、個別には、キャリーケースとして荷物の運搬に供することができるとともに、複数のキャリーケースをそのまま連結したり、積み重ねたりして、ロッカーとして利用できるようにすることを目的とするものである。
【課題を解決するための手段】
【０００８】
前記課題を解決するため、本願の請求項１にかかる考案は、側方に開口部を有する箱形直方体のケース本体と、前記開口部を覆うように設けられた開閉自在な蓋部と、前記ケース本体の下面側縁部に設けられたキャスターと、前記ケース本体の上端部に設けられた引き手と、前記ケース本体の上面に設けられた嵌め込み凸部と、前記ケース本体の上面に設けられ、当該キャリーケースの上に積み重ねられた他のキャリーケースのキャスターを収納可能なキャスター収納部と、前記ケース本体の下面に設けられ、当該キャリーケース
を他のキャリーケースの上に積み重ねた際に、他のキャリーケースの前記嵌め込み凸部と嵌合可能な嵌め込み凹部とを備えたことを特徴とする。
【０００９】
また、本願の請求項２にかかる考案は、請求項１にかかるキャリーケースにおいて、前記引き手が伸縮自在で、不使用時には前記ケース本体周囲の壁内に収納可能であることを特徴とする。
【００１０】
また、本願の請求項３にかかる考案は、請求項１又は２にかかるキャリーケースにおいて、前記ケース本体外側面に、当該キャリーケースと並置された他のキャリーケースと連結するための連結具を設けたことを特徴とする。
【００１１】
また、本願の請求項４にかかる考案は、請求項１，２又は３に記載のキャリーケースの複数個を、前記開口部を同じ方向に向けた状態で、上下左右に並べて配置したことを特徴とする。
【考案の効果】
【００１２】
本考案のキャリーケース及びロッカーは、次のような効果を奏する。
すなわち、請求項１にかかる考案においては、側方に開口部を有する箱形直方体のケース本体の前記開口部を覆うように開閉自在な蓋部を設け、前記ケース本体の下面側縁部にはキャスターを設け、ケース本体の上端部には引き手を設けた。さらに、ケース本体の上面に嵌め込み凸部と、当該キャリーケースの上に積み重ねられた他のキャリーケースのキャスターを収納可能なキャスター収納部とを設け、ケース本体の下面には、当該キャリーケースを他のキャリーケースの上に積み重ねた際に、他のキャリーケースの嵌め込み凸部と嵌合可能な嵌め込み凹部を設けた。その結果、個別には、キャリーケースとして荷物の運搬に供することができるとともに、複数のキャリーケースをそのまま連結したり、積み重ねたりして、ロッカーとして利用できるようになる。
【００１３】
また、請求項２にかかる考案においては、請求項１にかかるキャリーケースにおいて、前記引き手を伸縮自在とし、不使用時には前記ケース本体周囲の壁内に収納可能にしたので、キャリーケースとして荷物の運搬に使う際には、引き手を伸ばして手で持ちやすくでき、左右に並置したり、上下に積み重ねたりしてロッカーとして利用する際には、引き手が邪魔にならないようにできる。
【００１４】
また、請求項３にかかる考案においては、請求項１又は２にかかるキャリーケースにおいて、前記ケース本体外側面に、当該キャリーケースと並置された他のキャリーケースと連結するための連結具を設けたので、左右に並置したり上下に積み重ねたりしてロッカーとして利用する際に、隣り合うキャリーケースを簡単に連結できて、全体が安定する。
【００１５】
また、請求項４にかかる考案においては、請求項１，２又は３に記載のキャリーケースの複数個を、前記開口部を同じ方向に向けた状態で、上下左右に並べて配置したので、個別には、キャリーケースとして荷物の運搬に供することができる複数のキャリーケースをそのまま左右に並置したり、上下に積み重ねたりして、ロッカーとして利用できる。
【図面の簡単な説明】
【００１６】
【図１】本考案の一実施例に係るキャリーケースを示す図である。
【図２】図１のキャリーケースを別角度から見た図である。
【図３】図１のキャリーケースを斜め下から見た図である。
【図４】隣接キャリーケース連結具の一例を示す図である。
【図５】複数のキャリーケースをロッカーとして用いる状態を示す図である。
【考案を実施するための形態】
【００１７】
以下、本考案の実施例を図面に基づいて詳細に説明する。
【実施例１】
【００１８】
図１は、本考案の一実施例に係るキャリーケースを示す図であり、図２は、それを別角度から見た図である。図１，図２において、１はケース本体、２は蓋部、３は蓋部２の取っ手、４は蓋部２の鍵穴、５は引き手、６は持ち手、７は嵌め込み凸部、８はキャスター収納部、９は連結フック受け部、１０は連結フックである。
【００１９】
ケース本体１は、側方に開口部を有する箱形直方体であり、開口部を覆うように、蓋部２が開閉自在に設けられている。蓋部２は、取っ手３に手を掛けることにより開閉が行われ、また、蓋部２は、ロック機構を備えていて、鍵穴４に差し込んだキーにより、施錠・解錠ができるようにしている。
【００２０】
また、上端部の側縁部には伸縮自在な引き手５が設けられ、下面側縁部には、図３に示すように、キャスター１２，１２が設けられていて、キャリーケースに荷物を入れて移動する際には、伸ばした引き手５を手に持ち、キャスター１２を転がしながら楽に移動できるようにしている。この引き手５は、不使用時にはケース本体１の壁内に収納され、邪魔にならないようにしている。また、キャリーケースを持ち上げる際に便利なように、ケース本体１の上面中央部に、持ち手６を設けている。この持ち手６も、不使用時にはケース本体１の壁内に収納され、邪魔にならないようにしている。
【００２１】
さらに、このキャリーケースは、他のキャリーケースに積み重ねたり、横方向に連結したりして、ロッカーとしても利用できるようにするため、上面に嵌め込み凸部７を設ける一方、ケース本体１の下面には、図３に示すように、嵌め込み凹部１１を設けている。
【００２２】
嵌め込み凸部７と嵌め込み凹部１１は、当該キャリーケースの上に他のキャリーケースを積み重ねる際に、両者が嵌合して、積み重ねた状態が安定的に保持される。ただ、そのようにしてキャリーケースを積み重ねる際には、キャリーケースの下面に取り付けられているキャスター１２，１２が邪魔になる。そこで、キャリーケース上面の、キャスター１２，１２取付位置に対応する位置に、キャスター１２，１２を収納可能なキャスター収納部８，８を設けている。そのようにすれば、キャリーケースを積み重ねた際に、キャスター１２，１２は、キャスター収納部８，８内に収まって積み重ねの邪魔にならない。
【００２３】
また、このキャリーケースは、図１に示すように、一方の外側面に、当該キャリーケースと並置された他のキャリーケースとを連結するための連結フック受け部９を設け、図２に示すように、他方の外側面に連結フック１０を設けている。
【００２４】
連結フック受け部９と連結フック１０は、２個以上のキャリーケースを横方向に並置する際に両者を係合させて、並置した各キャリーケースの位置がずれないようにする。すなわち、連結フック１０は、図４に示すように、フック状の係合片を有し、連結フック受け部９は、該連結フック１０の係合片を引っ掛けるための引掛バーを有しており、一方のキャリーケースの各連結フック１０を、他方のキャリーケースのそれぞれ対応する連結フック受け部９に係合させることにより、両キャリーケースを連結する。このようにすれば、隣り合うキャリーケースを簡単に連結できて、全体が安定する。
【００２５】
なお、複数個のキャリーケースを積み重ねたり、横方向に連結したりして、ロッカーとして利用する際、最下段にある各キャリーケースの下面にキャスター１２があるためそのままでは安定しない。そこで、図５に示すように、キャリーケースの上面に設けた嵌め込み凸部７やキャスター収納部８と同様な嵌め込み凸部及びキャスター収納部を所定の間隔
で設けた基台２０を用意し、その上に各キャリーケースを載置するようにすればよい。
【００２６】
また、この実施例では、連結具として、連結フック受け部９と連結フック１０を用いたが、両キャリーケースを連結できるものであれば、その他任意の形式の連結具を用いることができる。
【符号の説明】
【００２７】
１…ケース本体
２…蓋部
３…取っ手
４…鍵穴
５…引き手
６…持ち手
７…嵌め込み凸部
８…キャスター収納部
９…連結フック受け部
１０…連結フック
１１…嵌め込み凹部
１２…キャスター
【図１】
0003163329.tif 000003
【図２】
0003163329.tif 000004
【図３】
0003163329.tif 000005
【図４】
0003163329.tif 000006
【図５】
0003163329.tif 000007